(57)【要約】【課題】カラーチャートの種類によらず自在なカラーパッチの指示が可能であり、作業の開始時や途中にカラーチャートの種類を適切に設定できるとともに、コスト面を考慮しつつ効率的に作業を行うことができる色選択方法、画像処理方法、画像処理装置及びプログラムを提供する。【解決手段】色値と配設位置とがそれぞれ対応付けられたカラーパッチ３６を備える指定色調整用カラーチャート３４ｃを印刷機１８により印刷するための画像データを生成し、指定色調整用カラーチャート３４ｃ上における複数のカラーパッチ３６の前記配設位置を模擬したパッチ選択画像１６２を表示し、表示されたパッチ選択画像１６２上において、複数のカラーパッチ３６の中から指定色に最も近い色として選択された色の位置に対応する座標を指示し、対応付けられた前記色値及び前記配設位置並びに指示された前記座標に基づいて前記指定色に最も近い色の色値を算出する。【選択図】図６
2011066862.tif 000002
【特許請求の範囲】
【請求項１】
色値と配設位置とがそれぞれ対応付けられた複数のカラーパッチを備えるカラーチャートを印刷機により印刷するための画像データを生成する生成ステップと、
前記カラーチャート上における前記複数のカラーパッチの前記配設位置を模擬した画像を表示する表示ステップと、
表示された前記画像上において、前記カラーチャートの前記複数のカラーパッチの中から指定色に最も近い色として選択された色の位置に対応する座標を指示する指示ステップと、
対応付けられた前記色値及び前記配設位置並びに指示された前記座標に基づいて前記指定色に最も近い色の色値を算出する算出ステップと
を備えることを特徴とする色選択方法。
【請求項２】
請求項１記載の色選択方法において、
前記算出ステップは、内挿又は外挿による補間演算を用いて前記指定色に最も近い色の色値を算出する
ことを特徴とする色選択方法。
【請求項３】
請求項１記載の色選択方法において、
前記カラーパッチの配設数を変更する変更ステップをさらに備える
ことを特徴とする色選択方法。
【請求項４】
請求項３記載の色選択方法において、
前記表示ステップは、変更された前記カラーパッチの配設数に対応する前記画像を表示する
ことを特徴とする色選択方法。
【請求項５】
請求項３又は４に記載の色選択方法において、
前記生成ステップは、変更された前記カラーパッチの配設数に対応する前記画像データを生成する
ことを特徴とする色選択方法。
【請求項６】
請求項３〜５のいずれか１項に記載の色選択方法において、
前記変更ステップは、前記生成ステップにより前記画像データが生成される前に実行される
ことを特徴とする色選択方法。
【請求項７】
請求項３〜６に記載の色選択方法において、
前記変更ステップは、前記算出ステップにより前記色値が算出された後に実行される
ことを特徴とする色選択方法。
【請求項８】
請求項１〜７のいずれか１項に記載の色選択方法により選択された色の色値を第１の色値として取得するステップと、
前記指定色の色値を第２の色値として取得するステップと、
取得された第１及び第２の色値に基づいて前記印刷機のプロファイルを補正するステップと
を備えることを特徴とする画像処理方法。
【請求項９】
目標プロファイルを用いて、請求項１〜７のいずれか１項に記載の色選択方法により選択された色の色値をデバイス依存データに変換するステップと、
電子原稿の画像データを補正するために前記色値又は前記デバイス依存データを表示するステップと
を備えることを特徴とする画像処理方法。
【請求項１０】
請求項１〜７のいずれか１項に記載の色選択方法により選択された色の色値を第１の色値として取得し、前記指定色の色値を第２の色値として取得し、前記第１及び第２の色値に基づいて前記印刷機のプロファイルを補正するプロファイル補正部を有する
ことを特徴とする画像処理装置。
【請求項１１】
目標プロファイルを用いて、請求項１〜７のいずれか１項に記載の色選択方法により選択された色の色値をデバイス依存データに変換し、電子原稿の画像データを補正するために前記色値又は前記デバイス依存データを表示する表示部を有する
ことを特徴とする画像処理装置。
【請求項１２】
コンピュータを、
色値と配設位置とがそれぞれ対応付けられた複数のカラーパッチを備えるカラーチャートを印刷機により印刷するための画像データを生成する手段、
前記カラーチャート上における前記複数のカラーパッチの前記配設位置を模擬した画像を表示する手段、
表示された前記画像上において、前記カラーチャートの前記複数のカラーパッチの中から指定色に最も近い色として選択された色の位置に対応する座標を指示する手段、
対応付けられた前記色値及び前記配設位置並びに前記座標に基づいて前記指定色に最も近い色の色値を算出する手段
として機能させるためのプログラム。
【発明の詳細な説明】
【技術分野】
【０００１】
本発明は、色選択方法、画像処理方法、画像処理装置及びプログラムに関する。
【背景技術】
【０００２】
近年のインクジェット技術の飛躍的進歩に伴い、インクジェット方式の印刷機による高速・高画質を両立したカラー大判印刷が可能になりつつある。この印刷機は、個人的・家庭的用途だけでなく、最近では、特に商業用途において幅広い分野で用いられている。この印刷機を用いることにより、例えば、店頭ＰＯＰ（Ｐｏｉｎｔ  ｏｆ  Ｐｕｒｃｈａｓｅ）や壁面ポスターのみならず、屋外広告・看板等の大サイズメディア、ロールメディア、厚手の硬質メディアに対しても印刷が可能である。
【０００３】
このような多様な商業的需要に応えるため、印刷に用いられる印刷媒体（以下「メディア」という場合がある。）も多種多彩である。例えば、ユポ・厚紙・アルミ蒸着紙等の紙類、塩化ビニル・ＰＥＴ等の樹脂、繊維織物の両面に合成樹脂フイルムを貼り合わせたターポリン等が用いられる。
【０００４】
広告印刷には需要者の視覚を通じてその購買意欲を喚起させる効果が期待されることから、印刷物（印刷された印刷媒体）の色の仕上がりは特に重要である。従来から、印刷物の色管理手段として、ＩＣＣ（Ｉｎｔｅｒｎａｔｉｏｎａｌ  Ｃｏｌｏｒ  Ｃｏｎｓｏｒｔｉｕｍ）プロファイルの作成方法や、指定色の調整方法等の様々なカラーマッチング技術が多数開示されている。これらのカラーマッチング技術は、インクジェット方式の印刷機に限られず、電子写真、感熱方式等を含むデジタルプリンタ全般及びその周辺機器に横断的に適用できるものである。
【０００５】
上述の「指定色の調整方法」とは、画像全体のカラーバランスを維持しつつ、カラーチップの色見本等により指定された色（指定色）と略一致するように前記画像の注目部分の色を微調整する方法であり、これに関する種々の方法が開示されている。
【０００６】
例えば、特許文献１には、表示装置上に表示した指定色と、印刷機から印刷される色との色感を一致させるための方法が開示されている。具体的には、表示装置上に表示色の変更が自在な表示窓と、表示された指定色に近いと考えられて印刷された２７色のカラーチャートが開示されている（特許文献１の図４及び図５参照）。
【０００７】
このように構成されているので、作業者は、指定色が前記表示窓に表示されるように設定し、印刷機からカラーチャートが印刷されるように印刷ボタンを押し、このカラーチャートの２７色の中から指定色に最も近い色を選択し、その色の番号を画面を介して入力することにより、表示装置上に表示した指定色と、印刷機から印刷される色との色感を厳密に近似させることができる旨が記載されている。
【先行技術文献】
【特許文献】
【０００８】
【特許文献１】特開２０００−２１７００７号公報
【発明の概要】
【発明が解決しようとする課題】
【０００９】
ところで、指定色の調整過程において、カラーパッチの個数（配設数）を増加させたカラーチャートを印刷したいという作業者の要望がある。例えば、指定色の再現精度を高めるために、多数色のカラーパッチを１枚のメディア上に印刷し、色を比較観察したいという要望がある。また、指定色がガマット外の色である場合にその指定色をガマット内の色に変換する必要が生じるが、多数色のカラーパッチを１枚のメディア上に印刷し、厳密な色再現ができないことを現物で確認し、納得の上で色を選択したいという要望がある。
【００１０】
しかしながら、特許文献１に開示された方法及び装置において、カラーパッチの色を自在に変更できるが、カラーパッチの個数は２７個に固定されており、印刷されるカラーチャートの外観はすべて共通である。つまり、カラーパッチの個数や配設位置は常に固定されている。
【００１１】
カラーチャートの外観の種類（以下、単に「カラーチャートの種類」という。）を２種類以上にすると、その種類の数だけ操作画面を別途設けなければならない。また、作業者は、各カラーチャートの種類に適切な操作画面を選択しなければならず煩雑である。また、指定色の調整作業中にカラーチャートの種類を変更することを想定していない。
【００１２】
一方、カラーパッチの個数を作業当初から増加させると、色選択に時間が掛かり、さらには、インクやメディアの消費量が大きく経済的でない。
【００１３】
本発明は上記した問題を解決するためになされたもので、作業の開始時や途中にカラーチャートの種類を適切に設定できるとともに、且つ、コスト面を考慮しつつ効率的に作業を行うことができる色選択方法、画像処理方法、画像処理装置及びプログラムを提供することを目的とする。
【課題を解決するための手段】
【００１４】
本発明に係る色選択方法は、色値と配設位置とがそれぞれ対応付けられた複数のカラーパッチを備えるカラーチャートを印刷機により印刷するための画像データを生成する生成ステップと、前記カラーチャート上における前記複数のカラーパッチの前記配設位置を模擬した画像を表示する表示ステップと、表示された前記画像上において、前記カラーチャートの前記複数のカラーパッチの中から指定色に最も近い色として選択された色の位置に対応する座標を指示する指示ステップと、対応付けられた前記色値及び前記配設位置並びに指示された前記座標に基づいて前記指定色に最も近い色の色値を算出する算出ステップとを備えることを特徴とする。
【００１５】
このように構成しているので、カラーチャートの種類によらず自在なカラーパッチの指示が可能であり、作業の開始時や途中にカラーチャートの種類を適切に設定できるとともに、コスト面を考慮しつつ効率的に作業を行うことができる。
【００１６】
また、前記算出ステップは、内挿又は外挿による補間演算を用いて前記指定色に最も近い色の色値を算出することが好ましい。
【００１７】
このように構成しているので、カラーパッチの中間位置の色や再現されていない色の指示が可能であり、作業効率が向上する。
【００１８】
さらに、前記カラーパッチの配設数を変更する変更ステップをさらに備えることが好ましい。
【００１９】
さらに、前記表示ステップは、変更された前記カラーパッチの配設数に対応する前記画像を表示することが好ましい。
【００２０】
さらに、前記生成ステップは、変更された前記カラーパッチの配設数に対応する前記画像データを生成することが好ましい。
【００２１】
さらに、前記変更ステップは、前記生成ステップにより前記画像データが生成される前に実行されることが好ましい。
【００２２】
さらに、前記算出ステップにより前記色値が算出された後に実行されることが好ましい。
【００２３】
本発明に係る画像処理方法は、上記の色選択方法により選択された色の色値を第１の色値として取得するステップと、前記指定色の色値を第２の色値として取得するステップと、取得された第１及び第２の色値に基づいて前記印刷機のプロファイルを補正するステップとを備えることを特徴とする。
【００２４】
本発明に係る画像処理方法は、目標プロファイルを用いて、上記の色選択方法により選択された色の色値をデバイス依存データに変換するステップと、電子原稿の画像データを補正するために前記色値又は前記デバイス依存データを表示するステップとを備えることが好ましい。
【００２５】
本発明に係る画像処理方法は、上記の色選択方法により選択された色の色値を第１の色値として取得し、前記指定色の色値を第２の色値として取得し、前記第１及び第２の色値に基づいて前記印刷機のプロファイルを補正するプロファイル補正部を有することを特徴とする。
【００２６】
本発明に係る画像処理方法は、目標プロファイルを用いて、上記の色選択方法により選択された色の色値をデバイス依存データに変換し、電子原稿の画像データを補正するために前記色値又は前記デバイス依存データを表示する表示部を有することを特徴とする。
【００２７】
本発明に係るプログラムは、コンピュータを、色値と配設位置とがそれぞれ対応付けられた複数のカラーパッチを備えるカラーチャートを印刷機により印刷するための画像データを生成する手段、前記カラーチャート上における前記複数のカラーパッチの前記配設位置を模擬した画像を表示する手段、表示された前記画像上において、前記カラーチャートの前記複数のカラーパッチの中から指定色に最も近い色として選択された色の位置に対応する座標を指示する手段、対応付けられた前記色値及び前記配設位置並びに前記座標に基づいて前記指定色に最も近い色の色値を算出する手段として機能させることを特徴とする。
【発明の効果】
【００２８】
本発明に係る色選択方法、画像処理方法、画像処理装置及びプログラムによれば、色値と配設位置とがそれぞれ対応付けられた複数のカラーパッチを備えるカラーチャートを印刷機により印刷するための画像データを生成し、前記カラーチャート上における前記複数のカラーパッチの前記配設位置を模擬した画像を表示し、表示された前記画像上において、前記カラーチャートの前記複数のカラーパッチの中から指定色に最も近い色として選択された色の位置に対応する座標を指示し、対応付けられた前記色値及び前記配設位置並びに指示された前記座標に基づいて前記指定色に最も近い色の色値を算出する算出するようにしたので、カラーチャートの種類によらず自在なカラーパッチの指示が可能であり、作業の開始時や途中にカラーチャートの種類を適切に設定できるとともに、コスト面を考慮しつつ効率的に作業を行うことができる。
【図面の簡単な説明】
【００２９】
【図１】本実施形態に係る画像処理装置が組み込まれた印刷システムの斜視説明図である。
【図２】本実施形態に係る指定色調整用カラーチャートの概略平面図である。
【図３】本実施形態に係る画像処理装置の機能ブロック図である。
【図４】本実施形態に係る指定色の入力のための設定画面の例を示す図である。
【図５】本実施形態に係る指定色の調整のための第一の設定画面の例を示す図である。
【図６】本実施形態に係る指定色の調整のための第二の設定画面の例を示す図である。
【図７】本実施形態に係る指定色の調整のための第三の設定画面の例を示す図である。
【図８】本実施形態に係る指定色の調整結果を表示する画面の例を示す図である。
【図９】本実施形態に係る印刷システムを用いて適切な印刷物を得るためのフローチャートである。
【図１０】本実施形態に係るプロファイル変更方法に関するフローチャートである。
【図１１】本実施形態に係る基準色の初期値の設定方法に関するフローチャートである。
【図１２】指定色調整用カラーチャートにおける各カラーパッチの色の設計値の一例を表す図である。
【図１３】図１３Ａ及び図１３Ｂは、図６に示すポインタにより所定の色が選択されたときのパッチ選択画像の一部拡大概略図である。
【図１４】図１４Ａ及び図１４Ｂは、印象一致、明度一致、彩度一致及び最短距離によるマッピング方法の概念を説明する図である。
【図１５】本実施形態に係る指定色の調整のための第二の設定画面の変形例である。
【図１６】図１５に示す第二の設定画面と併せて表示される設定画面の例を示す図である。
【図１７】本実施形態に係る指定色の調整のための第二の設定画面の変形例である。
【図１８】指定された表示パッチが１個である場合、選択された表示パッチに対応する色が新たな基準色として設定される概略図である。
【図１９】指定された表示パッチが２個である場合、選択された表示パッチに対応する色が新たな基準色として設定される概略図である。
【図２０】指定された表示パッチが４個である場合、選択された表示パッチに対応する色が新たな基準色として設定される概略図である。
【発明を実施するための形態】
【００３０】
以下、本発明に係る色選択方法についてそれを実施する画像処理装置並びに印刷システムとの関係において好適な実施形態を挙げ、添付の図面を参照しながら詳細に説明する。
【００３１】
図１は、本実施の形態に係る画像処理装置１６が組み込まれた印刷システム１０の斜視説明図である。
【００３２】
印刷システム１０は、ＬＡＮ１２と、編集装置１４と、画像処理装置１６と、印刷機１８と、測色計２０とを基本的に備える。
【００３３】
ＬＡＮ１２は、イーサネット（登録商標）等の通信規格に基づいて構築されているネットワークである。編集装置１４と、画像処理装置１６と、データベースＤＢとは、ＬＡＮ１２を介して有線又は無線により相互に接続されている。
【００３４】
編集装置１４は、文字、図形、絵柄や写真等から構成されるカラー画像の配置をページ毎に編集が自在であり、ページ記述言語（以下、ＰＤＬという。）による電子原稿、例えば、４色（ＣＭＹＫ）や３色（ＲＧＢ）のカラーチャンネルからなる８ビット画像データを生成する。
【００３５】
ここで、ＰＤＬとは、印刷や表示等の出力単位である「ページ」内で文字、図形等の書式情報、位置情報、色情報（濃度情報を含む）等の画像情報を記述する言語である。例えば、ＰＤＦ（Ｐｏｒｔａｂｌｅ  Ｄｏｃｕｍｅｎｔ  Ｆｏｒｍａｔの略で、ＩＳＯ３２０００−１：２００８に規定）、ＡｄｏｂｅＳｙｓｔｅｍｓ社のＰｏｓｔＳｃｒｉｐｔ（登録商標）やＸＰＳ（ＸＭＬ  Ｐａｐｅｒ  Ｓｐｅｃｉｆｉｃａｔｉｏｎ）等が知られている。
【００３６】
また、編集装置１４には図示しないカラースキャナが接続されており、該カラースキャナは、所定の位置にセットされたカラー原稿を光学的に読み取ることで、前記電子原稿の構成要素となるカラー画像データを取得可能である。
【００３７】
画像処理装置１６は、ＰＤＬによる電子原稿をビットマップ形式（ラスタ画像の一種）に展開し、所望の画像処理、例えば、色変換処理、画像拡縮処理や配置処理等を行い、印刷機１８の印刷方式に適した印刷信号に変換し、前記印刷機１８に前記印刷信号を送信する各機能を有している。
【００３８】
また、画像処理装置１６は、ＣＰＵ・メモリ等を有する本体２２と、カラー画像を表示する表示装置２４と、入力部としての入力装置２６（キーボード２８及びマウス３０）を備えており、さらに測色計２０が接続されている。
【００３９】
印刷機１８は、Ｃ、Ｍ、Ｙ、Ｋの各色（プロセスカラー）からなる標準インクと、ＬＣ、ＬＭ等の淡色やＷ（白色）等のオプションインクとを組み合わせてカラー画像を形成するインクジェット方式の印刷装置である。この印刷機１８は、外部（例えば、画像処理装置１６）から受信した印刷信号に基づいて各色のインクの射出制御を行うことにより、印刷媒体としてのメディア３２（図１では、ロール状の未印刷のメディア３２）上にカラー画像を印刷し、印刷物３４（指定色調整用カラーチャート３４ｃが含まれる。）を形成する。
【００４０】
メディア３２の基材には、ユポ・厚紙・アルミ蒸着紙等の紙類、塩化ビニル・ＰＥＴ等の樹脂やターポリン等を用いることができる。
【００４１】
測色計２０は、測定対象物の色値を測定する。ここで色値とは、三刺激値ＸＹＺ、均等色空間の座標値Ｌ*ａ*ｂ*等のみならず、波長に対する光学物理値の特性、例えば、分光放射分布、分光感度分布、分光反射率又は分光透過率が含まれる。
【００４２】
図２は、指定色調整用カラーチャート３４ｃの概略正面図である。
【００４３】
指定色調整用カラーチャート３４ｃは、メディア３２上に印刷された、色の異なる２７個の略同形状のカラーパッチ３６と、該カラーパッチ３６の行方向及び列方向の配列位置を特定する行番号３８及び列番号４０と、前記指定色調整用カラーチャート３４ｃの印刷条件を識別する情報からなる印刷情報４２とから構成される。
【００４４】
各カラーパッチ３６は、メディア３２の左側部、中央部及び右側部に、縦方向及び横方向に３個ずつ、所定間隔の隙間を設けるように配置されている。各カラーパッチ３６の色は、ＣＭＹＫ値の各信号レベルの範囲（百分率では０％〜１００％、８ビット階調である場合は０〜２５５）の所定の値が設定されている。
【００４５】
識別情報としての行番号３８は上から順番に（１）、（０）、（−１）からなり、それぞれ各カラーパッチ３６の左方部にその位置に対応するように設けられている。一方、識別情報としての列番号４０は、左から順番に（１’）、…、（−１”）からなり、各カラーパッチ３６の上方部にその位置に対応するように設けられている。
【００４６】
印刷情報４２には、印刷機１８の機種、シリアル番号若しくは登録名、後述する印刷モード、メディア３２の種類、印刷日時等が印刷されている。
【００４７】
図３は、本実施形態に係る画像処理装置１６の構成ブロック図である。なお、電子原稿は白抜実線矢印の方向に、カラーチャート用画像データは白抜破線矢印の方向に、その他の各種データは実線矢印の方向にそれぞれ供給されることを表す。
【００４８】
画像処理装置１６の本体２２は、編集装置１４側から供給される電子原稿を入力するＩ／Ｆ５０と、該Ｉ／Ｆ５０を介して供給された電子原稿のＰＤＬ形式をビットマップ形式に展開するＲＩＰ５２（ラスタイメージングプロセッサ）と、該ＲＩＰ５２により展開された電子原稿のＣＭＹＫ値（あるいはＲＧＢ値）に対して所定の色変換処理を施して新たなＣＭＹＫ値の画像データを得る色変換処理部５４と、該色変換処理部５４により色変換されて得られた新たなＣＭＹＫ値の画像データを印刷機１８に適した印刷信号（インク射出制御データ）に変換する印刷機ドライバ５６と、該印刷機ドライバ５６により変換された印刷信号を印刷機１８側に出力するＩ／Ｆ５８とを備える。
【００４９】
また、本体２２は、印刷機１８毎にプロファイルを管理する色管理部６０と、指定色調整用カラーチャート３４ｃ又は図示しないプロファイル用カラーチャートを印刷するための画像データを生成する画像データ生成部６２と、表示装置２４との接続を可能とするＩ／Ｆ６４と、入力装置２６（マウス２８及びキーボード３０）との接続を可能とするＩ／Ｆ６６と、測色計２０との接続を可能とするＩ／Ｆ６８とを備える。
【００５０】
さらに、本体２２は、その内部の各構成要素から供給される各種データを記憶し、あるいは記憶する各種データを各構成要素に供給する記憶部７０を備えている。該記憶部７０は、ＲＩＰ５２と、色変換処理部５４と、色管理部６０と、画像データ生成部６２と、Ｉ／Ｆ６４と、Ｉ／Ｆ６６と、Ｉ／Ｆ６８とにそれぞれ接続されている。
【００５１】
なお、色変換処理部５４は、デバイス依存データからデバイス非依存データに変換する目標プロファイル処理部７２と、デバイス非依存データからデバイス依存データに変換するする印刷プロファイル処理部７４とを備える。ここで、デバイス依存データとは、各種デバイスを適切に駆動するためのＣＭＹＫ値、ＲＧＢ値等で定義されるデータである。また、デバイス非依存データとは、ＨＳＬ、ＨＳＢ、ＣＩＥＬＡＢ座標系、ＣＩＥＬＵＶ座標系、ＸＹＺ等の表色系で定義されるデータである。
【００５２】
また、画像データ生成部６２は、指定色調整用カラーチャート３４ｃを印刷するための画像データを生成する指定色調整用データ生成部７６と、図示しないプロファイル用カラーチャートを印刷するための画像データを生成するプロファイル用データ生成部７８とを備える。
【００５３】
さらに、色管理部６０は、印刷機１８毎にプロファイルを生成するプロファイル生成部８０と、印刷機１８毎に指定色を管理する指定色管理部８２とを備える。
【００５４】
さらにまた、指定色管理部８２は、後述するカラーチャート条件（基準色、色差間隔及びガマットマッピング方法）を設定するカラーチャート条件設定部８４（設定部）と、印刷機１８の色値のずれを補正する色ずれ補正部８６と、所定のカラーパッチのＬ*ａ*ｂ*値（デバイス非依存データ）をＣＭＹＫ値（デバイス依存データ）に変換するパッチ色データ変換部８８（データ変換部）と、所定の色が出力デバイス（印刷機１８を含む。）のガマットの範囲内の色か否かを判定するガマット内外判定部９０（判定部）と、複数のガマットマッピングアルゴリズム（以下、「マッピング方法」という。）に従って第１ガマットを第２ガマットに色変換するマッピング部９２と、複数のマッピング方法から一のマッピング方法を選択するマッピング選択部９４（選択部）とから構成される。
【００５５】
さらに、ＲＩＰ５２は、電子原稿のビットマップ形式化の際に、印刷機１８の解像度等に対応した画像拡縮処理や、印刷フォーマットに対応した回転・反転処理等の種々の画像処理を行うことができる。
【００５６】
さらに、印刷機ドライバ５６は、ＣＭＹＫ値からインク各色（ＣＭＹＫ、ＬＣ、ＬＭ、又はＷ）に対応するインク射出制御用データを作成する。このインク射出制御用データは、印刷機１８のインク射出動作（ＯＮ・ＯＦＦやインクドット径の大小等）との間でその印刷機１８固有のデータ定義に従って関連付けられている。その際、８ビット多階調画像から２値画像等の低階調画像への変換を要するが、ディザマトリクス法や誤差拡散法等の公知のアルゴリズムを用いることができる。
【００５７】
さらに、目標プロファイル処理部７２又は印刷プロファイル処理部７４は、印刷機１８の印刷モードに応じてプロファイルを補正することができる。ここで、印刷モードとは、印刷ヘッドのノズル数、印刷ヘッドの走査時におけるインク射出タイミング（片方向／双方向）、パス数、搭載インク色数及びその種類、インク射出制御用データ作成のアルゴリズム等の、印刷に関する各種設定をいう。
【００５８】
さらに、ＣＰＵ等で構成される制御部（不図示）は、この画像処理に関するすべての制御を行う。すなわち、本体２２内部の各構成要素の制御（例えば、記憶部７０のデータ読出し・書込み）のみならず、Ｉ／Ｆ６４を介して表示装置２４に表示信号を送信する制御や、Ｉ／Ｆ６８を介して測色計２０から測色データを取得する制御等も含まれる。
【００５９】
本実施形態の画像処理装置１６は以上のように構成され、上述した各画像処理機能は、基本プログラム（オペレーティングシステム）上で動作する応用プログラムを用いて実現することができる。
【００６０】
図４は、本実施形態に係る指定色の入力のための設定画面の例を示す図である。
【００６１】
設定画面１００には、左上から右下の方に順番に、６つのラジオボタン１０２ａ〜１０２ｆと、３個のテキストボックス１０４と、３個のテキストボックス１０５と、４個のテキストボックス１０６と、２個のプルダウンメニュー１０７、１０８と、２個のプルダウンメニュー１０９、１１０と、［測色］と表示されたボタン１１２と、カラーホイール１１４と、参照パッチ１１６と、［中止］、［ＯＫ］と表示されたボタン１１８、１２０とが設けられている。
【００６２】
ラジオボタン１０２ａ〜１０２ｆの右方には、「Ｌ*ａ*ｂ*で指定」、「ＲＧＢで指定」、「ＣＭＹＫで指定」、「測色計で測定」、「特色名で指定」、「カラーホイールで指定」とそれぞれ表示されている。
【００６３】
３個のテキストボックス１０４、３個のテキストボックス１０５、４個のテキストボックス１０６には、キーボード２８（図１参照）を用いて数字を含む各種文字の入力が自在である。
【００６４】
プルダウンメニュー１０７は、３個のテキストボックス１０５の右方に設けられており、欄には「ｓＲＧＢ」からなる文字が表示されている。また、プルダウンメニュー１０８は、４個のテキストボックス１０６の右方に設けられており、欄には「ＩＳＯ  ｃｏａｔｅｄ」からなる文字が表示されている。
【００６５】
プルダウンメニュー１０９、１１０は、４個のテキストボックス１０６の下方に設けられており、欄には「測色計の機種名」、「特色名のリスト」からなる文字がそれぞれ表示されている。
【００６６】
カラーホイール１１４は、カラーパレット１２２、丸型ポインタ１２４、カラーバー１２６、三角ポインタ１２８とから構成される。
【００６７】
カラーパレット１２２は矩形状であり、その領域内には連続的に変化する色が表示されている。カラーパレット１２２の左方には「Ｌ」なる文字と上下方向を向く２本の矢印とが、その下方には「Ｃ」なる文字と左右方向を向く２本の矢印とがそれぞれ設けられている。また、カラーパレット１２２の領域内（図４では右上部）には丸型ポインタ１２４が設けられており、その領域内での移動が自在である。
【００６８】
カラーパレット１２２の右方には、上下方向に延在する縦長のカラーバー１２６が設けられている。カラーバー１２６には、その上下方向に連続的に変化する色が表示されている。また、カラーバー１２６の右方には三角ポインタ１２８が設けられており、カラーバー１２６に沿って上下方向に移動が自在である。
【００６９】
カラーホイール１１４の右方に設けられた矩形状の参照パッチ１１６には、丸型ポインタ１２４が指示する色と同一色が表示されている。
【００７０】
図５は、本実施形態に係る指定色の調整のための第一の設定画面の例を示す図である。
【００７１】
設定画面１３０には、上から順番に、プルダウンメニュー１３２と、表示欄１３４と、カラーパレット１３６と、グラフ１３８と、上下方向に並設された３個のスピンボタン付テキストボックス１４０と、グラフ１４２と、［中止］、［次へ］と表示されたボタン１４４、１４６が設けられている。
【００７２】
プルダウンメニュー１３２の左方部には「印刷プロファイル」なる文字列が表示されている。表示欄１３４には、上から順番に「ガマット内」、「ガマット境界」及び「ガマット外」からなる欄が設けられており、「ガマット外」の左方別欄には「○」が表示されている。
【００７３】
カラーパレット１３６は、「指定色」と表示された色見本パッチ１４８と、「印象一致（Ａ）」、「明度一致（Ｂ）」、「彩度一致（Ｃ）」及び「最短距離（Ｄ）」と表示され、それぞれ類似する色からなる候補色パッチ１５０ａ、１５０ｂ、１５０ｃ及び１５０ｄ、「基準色」と表示された基準色パッチ１５０ｅとから構成されている。また、その左方部には「マッピング方法設定」なる文字列が表示されている。
【００７４】
３個のスピンボタン付テキストボックス１４０は、キーボード２８又はマウス３０の所定の操作により、後述する基準色の色値Ｌ*ａ*ｂ*の値をそれぞれ独立に設定可能である。
【００７５】
グラフ１３８及び１４２は、Ｌ*ａ*ｂ*空間の所定の断面図が二次元座標系（Ｌ*−ａ*平面、ａ*−ｂ*平面、Ｌ*−ｂ*平面のいずれかの座標系）として表示されたものであり、その二次元座標系には数点のプロットがなされている。
【００７６】
図６は、本実施形態に係る指定色の調整のための第三の設定画面の例を示す図である。
【００７７】
設定画面１６０には、上から順番に、パッチ選択画像１６２と、上下方向に並設された３個のスピンボタン付テキストボックス１６４、１６６と、［カラーチャート印刷］、［戻る］、［確定］、［中止］と表示されたボタン１６８、１７０、１７２、１７４とが設けられている。
【００７８】
パッチ選択画像１６２は、指定色調整用カラーチャート３４ｃの描画を模した画面から構成されており、行番号１７６と、列番号１７８と、マトリクス画像１８０と、［詳細設定］と表示されたボタン１８２とを備える。
【００７９】
さらに、マトリクス画像１８０は、太線で示される外枠１８４と、２７個のカラーパッチ１８６と、破線で示される１２本の補助線１８８と、十字形状のポインタ１９０とから構成される。
【００８０】
１２本の補助線１８８は、縦線９本、横線３本から構成されており、各カラーパッチ１８６の中心位置を通るように格子状に設けられている。
【００８１】
２個のスピンボタン付テキストボックス１６４、１６６は、キーボード２８又はマウス３０の所定の操作により、基準色の色値（Ｌ*，ａ*，ｂ*）、色差間隔（ΔＬ*，Δａ*，Δｂ*）の値をそれぞれ独立に設定可能である。
【００８２】
図７は、本実施形態に係る指定色の調整のための第三の設定画面の例を示す図である。
【００８３】
設定画面２００には、上から順番に、「指定色設定一覧」と表示された表示欄２０２と、「電子原稿の修正値」と表示された表示欄２０４と、「特色ＤＢの修正値」と表示された表示欄２０６と、［戻る］、［終了］と表示されたボタン２０８、２１０とが設けられている。
【００８４】
表示欄２０２には、特色名が表示された欄２１２と、色値Ｌ*ａ*ｂ*の値が表示された欄２１４と、ＲＧＢ値が表示された欄２１６と、ＣＭＹＫ値が表示された欄２１８と、色値等の指定方法が表示された欄２２０とから構成される。
【００８５】
表示欄２０４には、色値Ｌ*ａ*ｂ*の値が表示された欄２２２と、ＲＧＢ値が表示された欄２２４と、ＣＭＹＫ値が表示された欄２２６と、デバイス依存データがＲＧＢ値である目標プロファイルの種類の設定が自在であるプルダウンメニュー２２８と、デバイス依存データがＣＭＹＫ値である目標プロファイルの種類の設定が自在であるプルダウンメニュー２３０とが設けられている。
【００８６】
表示欄２０６には、ＲＧＢ値が表示される欄２３２と、ＣＭＹＫ値が表示される欄２３４とから構成される。なお、ＲＧＢ値、ＣＭＹＫ値のいずれの値も０〜１００％の百分率で表示されている。
【００８７】
図８は、本実施形態に係る指定色の調整結果を表示する画面の例を示す図である。
【００８８】
設定画面２４０には、上から順番に、パッチ選択画像２４２と、スライダバー２４４、２４６と、［戻る］、［設定変更］と表示されたボタン２４８、２５０とが設けられている。
【００８９】
パッチ選択画像２４２は、図６に示すパッチ選択画像１６２と類似した外観構成であり、行番号２５２と、列番号２５４と、太線で示される外枠２５６と、破線で示される３０本の補助線２５８とを備える。なお、３０本の補助線２５８は、縦線２５本、横線５本から構成されており、格子状に設けられている。
【００９０】
スライダバー２４４は、設定画面２４０の左右方向に延在するゲージ２６０と、該ゲージ２６０上に左右方向に移動が自在であるスライダ２６２が設けられている。ゲージ２６０左端の左方部には「カラーパッチ個数」なる文字が表示されており、スライダ２６２の下方部には目盛「５」の位置を指向する矢印２６４が表示されている。
【００９１】
スライダバー２４６は、設定画面２４０の左右方向に延在するゲージ２６６と、該ゲージ２６６上に左右方向に移動が自在であるスライダ２６８が設けられている。ゲージ２６６左端の左方部には「次の色差間隔」なる文字が表示されており、スライダ２６８の下方部には目盛「大」寄りの位置を指向する矢印２７０が表示されている。
【００９２】
スライダバー２４４の右方部には、「矢印の指示値は現在の推奨値です。」からなる文字列２７２が表示されている。
【００９３】
この実施形態に係る印刷システム１０は、基本的には以上のように構成されるものであり、次にその動作について説明する。
【００９４】
図９は、本実施形態に係る印刷システム１０を用いて適切な印刷物３４を得るためのフローチャートである。主に図１を参照しながら説明する。
【００９５】
先ず、作業者は、形成しようとする印刷物３４に関する印刷条件やその観察態様を調査する（ステップＳ１）。ここで、印刷条件とは、印刷に使用する印刷機１８の種類、メディア３２の種類や前述した印刷モード等である。また、観察態様とは、印刷物３４の観察光源の種類や印刷物３４の掲示態様（反射、透過、又はその混合）等である。
【００９６】
次いで、作業者は、印刷機１８に適切なプロファイルを選定する（ステップＳ２）。通常、目標プロファイル又は印刷プロファイルは、本体２２の記憶部７０に保存されている。印刷機１８に適切なプロファイルが登録（図３に示す記憶部７０に記憶）されていない場合は、印刷プロファイルを別途生成することができる。
【００９７】
次いで、印刷機１８を用いて電子原稿を印刷し、印刷物３４を得る（ステップＳ３）。ここで、図示しないラミネート処理装置を用いて印刷物３４にラミネート処理を施し、その画像形成面上に保護膜を設けてもよい。そうすれば、画像の擦過性・堅牢性を向上させることができる。
【００９８】
次いで、印刷物３４の画像の色を評価し（ステップＳ４）、画像の色が適切か否かを判断する（ステップＳ５）。所望の色合いが得られたか否かについての評価方法としては、画像の全体的外観又は部分的外観に着目し、作業者等の目視により良否を判断する方法、あるいは、測色計２０を用いて印刷物３４の所定の箇所を測色し、その値が所望の範囲内に収まるか否かで判断する方法等を用いることができる。
【００９９】
特に、本実施形態では、カラー画像の所定の箇所に対して指定色（色見本の現物等）が指定されており、当該箇所の色と前記指定色とが略同色であるか否かで判断される。
【０１００】
この画像評価の結果、印刷物３４の画像が適切でないと判断された場合は、プロファイルの変更等を行うことにより色の微調整を行う（ステップＳ６）。この具体的方法としては、プロファイルの再設定・再生成や、プロファイルの微調整（現在設定されているプロファイルの補正）等が挙げられる。
【０１０１】
以下、印刷と評価を繰り返すことにより（ステップＳ３〜Ｓ６）、所望の色の印刷物３４が得られる。
【０１０２】
ここで、プロファイルの生成（ステップＳ２）の際の、画像処理装置１６による画像処理の流れについて、図３を参照しながら詳細に説明する。
【０１０３】
記憶部７０により記憶された所定のＣＭＹＫ値データに基づいて、プロファイル用データ生成部７８により生成された画像データは、図３に示すように矢印Ｒ１の経路から印刷機ドライバ５６に供給され、電子原稿の印刷と同様の動作により印刷機１８側に供給される。このようにして得られた図示しないプロファイル用カラーチャートの各カラーパッチを、画像処理装置１６に接続された測色計２０を用いて測色し、Ｌ*ａ*ｂ*の色値を取得する。この色値のデータは記憶部７０に一旦記憶される。その後、指定されたＣＭＹＫ値と得られたＬ*ａ*ｂ*との対応関係に基づいて３次元−４次元変換ＬＵＴをデータとして含む印刷プロファイルを生成することができる。
【０１０４】
また、電子原稿の印刷（ステップＳ３）の際の、画像処理装置１６による画像処理の流れについて、図３を参照しながら詳細に説明する。
【０１０５】
編集装置１４から供給された電子原稿（ＰＤＬ形式）が、ＬＡＮ１２及びＩ／Ｆ５０を介して画像処理装置１６に入力されると、前記電子原稿は、ＲＩＰ５２によりそれぞれ８ビットのＣＭＹＫビットマップ形式（デバイス依存の画像データ）に展開され、目標プロファイル処理部７２によりＬ*ａ*ｂ*（デバイス非依存の画像データ）に変換され、印刷プロファイル処理部７４によりＣＭＹＫ値（デバイス依存の画像データ）に変換され、印刷機ドライバ５６により印刷信号（すなわち、インク射出制御データ）に変換され、Ｉ／Ｆ５８を介して印刷機１８に供給される。その後、印刷機１８により所望の印刷物３４が印刷される。
【０１０６】
このとき、複数の設定条件に対応する目標プロファイル及び印刷プロファイルが予め記憶部７０に記憶されているので、予め設定された各種条件に応じて選択的に目標プロファイル及び印刷プロファイルが目標プロファイル処理部７２及び印刷プロファイル処理部７４に供給される。ここで、各プロファイルに対して印刷機１８の印字モード等を加味した補正を適宜行うように構成すれば、さらに適切な色変換処理を行うことができる。
【０１０７】
以上、本実施形態に係る画像処理方法を用いて適切な印刷物３４を得るためのフローチャートについて説明した。次いで、プロファイルの変更方法について更に詳細に説明する。
【０１０８】
図１０は、指定色調整用カラーチャート３４ｃを用いた指定色の調整方法（ステップＳ６）に関するフローチャートである。
【０１０９】
先ず、指定色の色値を入力する（ステップＳ６１）。
【０１１０】
図４に示すように、作業者は、表示装置２４（図１参照）により表示される設定画面１００において、提示されている指定色の色値の入力方法（図４では６通り）のうち１つを選択し、その入力方法に対応するラジオボタン１０２ａ〜１０２ｆを押下する。
【０１１１】
ラジオボタン１０２ａに対応する「Ｌ*ａ*ｂ*で指定」とは、既知の指定色の色値Ｌ*ａ*ｂ*の数値を直接入力する方法である。具体的には、キーボード２８（図１参照）を用いて、３個のテキストボックス１０４に、設定画面１００の左側からＬ*、ａ*、ｂ*の配列順に色値を入力する。
【０１１２】
この入力例として、作業者は、カラーチップ等の色見本を画像処理装置１６とは接続されていない外部の測色計（不図示）により測色し、その色値Ｌ*ａ*ｂ*を入力することができる。
【０１１３】
ラジオボタン１０２ｂに対応する「ＲＧＢで指定」とは、既知の指定色のＲＧＢ値の数値を直接入力する方法である。具体的には、キーボード２８（図１参照）を用いて、３個のテキストボックス１０５に、設定画面１００の左側からＲ、Ｇ、Ｂの配列順に色値を入力する。
【０１１４】
この入力例として、作業者は、色見本の現物を所持していないが、指定色としてのＲＧＢ値を知っている場合には、この値を直接入力することができる。
【０１１５】
また、作業者は、電子原稿の画像データの属性に応じて適切な目標プロファイルを選択し、プルダウンメニュー１０７を用いて設定する。そうすると、選択された目標プロファイル（図４では、「ｓＲＧＢ」）に対応するＲＧＢ−Ｌ*ａ*ｂ*変換式により、３個のテキストボックス１０５に入力されたＲＧＢ値は、色値Ｌ*ａ*ｂ*に変換される。
【０１１６】
ラジオボタン１０２ｃに対応する「ＣＭＹＫで指定」とは、既知の指定色のＣＭＹＫ値の数値を直接入力する方法である。具体的には、キーボード２８（図１参照）を用いて、４個のテキストボックス１０６に、設定画面１００の左側からＣ、Ｍ、Ｙ、Ｋの配列順に色値を入力する。
【０１１７】
この入力例として、作業者は、色見本の現物を所持していないが、指定色としてのＣＭＹＫ値を知っている場合には、この値を直接入力することができる。
【０１１８】
また、作業者は、電子原稿の画像データの属性に応じて適切な目標プロファイルを選択し、プルダウンメニュー１０８を用いて設定する。そうすると、選択された目標プロファイル（図４では、「ＩＳＯ  ｃｏａｔｅｄ」）に対応するＣＭＹＫ−Ｌ*ａ*ｂ*変換式により、４個のテキストボックス１０６に入力されたＣＭＹＫ値は、色値Ｌ*ａ*ｂ*に変換される。
【０１１９】
ラジオボタン１０２ｄに対応する「測色計で測定」とは、カラーチップ等の色見本を測色計２０により測色し、その色値Ｌ*ａ*ｂ*を入力する方法である。具体的には、測色計２０で測色可能な状態となるように色見本をセットした後、［測色］ボタン１１２を押下すると、測色計２０により得られた色値が、Ｉ／Ｆ６８を介して、画像処理装置１６側に自動的に取得され、その後記憶部７０に記憶される。
【０１２０】
ラジオボタン１０２ｅに対応する「特色名で指定」とは、記憶部７０やデータベースＤＢ等に記憶・管理されている特色名を参照することにより、該特色名に対応するＬ*ａ*ｂ*の色値を取得する方法である。
【０１２１】
ラジオボタン１０２ｆに対応する「カラーホイールで指定」とは、カラーホイール１１４を用いてＬ*ａ*ｂ*の色値を取得する方法である。具体的には、作業者は、マウスのドラッグ動作により、カラーパレット１２２上の丸型ポインタ１２４を移動させる。そうすると、横方向は彩度（Ｃ）、縦方向は明度（Ｌ）を変数として指定色を変化させることができる。また、作業者は、マウスのドラッグ動作により、カラーバー１２６上の三角ポインタ１２８を上下方向に移動させる。そうすると、縦方向は色相（Ｈ）を変数として指定色を変化させることができる。
【０１２２】
丸型ポインタ１２４、三角ポインタ１２８を移動させると、現在の指示値が更新され、該指示値（ＬＣＨ）がＬ*ａ*ｂ*値に変換され、該Ｌ*ａ*ｂ*値が表示装置２４のプロファイルによりＲＧＢ値に変換され、該ＲＧＢ値に基づいて表示装置２４が駆動され、参照パッチ１１６として表示装置２４の画面上に表示される。
【０１２３】
ラジオボタン１０２ａ〜１０２ｅにより選択された入力方法により色値が入力されていると、その値がカラーホイール１１４上の丸型ポインタ１２４、三角ポインタ１２８の指示値に反映されている。その値から参照パッチ１１６に表示されている色と、色見本の現物とを比較観察しながら、入力値をさらに微調整することができる。
【０１２４】
作業者は、６通りのうち一の入力方法を選択し、指定色に関する情報を入力した後、［ＯＫ］ボタン１２０を押下する。そうすると、入力された指定色の色値は記憶部７０に記憶される。
【０１２５】
次いで、作業者は、基準色の初期値を設定する（ステップＳ６２）。ここで、基準色の初期値の設定方法に関して、図１１のフローチャートを参照しながら説明する。
【０１２６】
先ず、指定色の色値が読み出される（ステップＳ６２１）。読み出される色値Ｌ*ａ*ｂ*は、設定画面１００（図４）から設定された値であって、記憶部７０により記憶されている。
【０１２７】
次いで、読み出された色値Ｌ*ａ*ｂ*が、印刷機１８のガマット内の色か否かを判定する（ステップＳ６２２）。この判定は、ガマット内外判定部９０により行われる。
【０１２８】
作業者は、図５に示す設定画面１３０において、プルダウンメニュー１３２を用いて色調整を行おうとする印刷機１８の種類を選択する。そうすると、選択された印刷機１８の種類に応じて、記憶部７０に記憶されている印刷プロファイルが取得される。
【０１２９】
作業者による印刷機１８の種類の選択後、ガマット内外判定部９０（図３参照）により、前記印刷プロファイルが備える色変換ＬＵＴを用いて、設定された基準色についての印刷機１８のガマットの属否が判定される。ここで、「ガマットの属否」とは、所定の色がガマット内の色であるか否かの属性をいう。
【０１３０】
もし、ガマット内の色であると判定された場合、表示欄１３４の「ガマット内」欄の左方にある別欄に丸印が付される。
【０１３１】
作業者は、表示欄１３４で「ガマット内」であることを確認すると、［次へ］ボタン１４６を押す。そうすると、指定色の色値が基準色として設定される（ステップＳ６２３）。
【０１３２】
なお、本実施の形態では、ガマット内の色か否か（すなわち、ガマット外の色か）の判定のみならず、ガマット内であってもガマット境界近傍の色かをも判定することができる。この場合、表示欄１３４の「ガマット内」欄の左方にある別欄に丸印が付される。
【０１３３】
一方、ガマット外の色であると判定された場合、指定色は、複数のマッピング方法によりマッピングがなされる（ステップＳ６２４）。マッピング部９２により、印象一致によるマッピング方法、明度一致によるマッピング方法、彩度一致によるマッピング方法、最短距離によるマッピング方法を用いて、色値がそれぞれガマットの範囲内の色にマッピングされる。以下、このマッピングされた色を「変換色」という。
【０１３４】
マッピングされた各変換色の色値は、マッピング部９２から記憶部７０に供給され、その後記憶部７０に記憶される。
【０１３５】
なお、マッピング部９２は、上記した方法以外の方法でマッピングしてもよく、上記した４つ全てのマッピング方法を用いてマッピングする必要はない。マッピング部９２は、複数のマッピング方法を用いて取得したガマット外にある色をガマット内の色にマッピングすればよい。
【０１３６】
次いで、指定色と、マッピング後の複数の変換色とを表示装置２４に同時に隣接させ、比較表示をさせる（ステップＳ６２５）。候補色パッチ１５０ａ〜１５０ｄの背景は、各種マッピング方法に基づいてマッピングされた各変換色が表示されている。
【０１３７】
カラーパレット１３６内の縦長の色見本パッチ１４８の背景は指定色で表示されている。ここで、図５に示される指定色とは、設定画面１００（図４参照）において入力された色であり、以降の色調整作業において変更されない色である。
【０１３８】
基準色パッチ１５０ｅの背景は基準色で表示されている。ここで、図５に示される基準色とは、現在基準として設定された色であり、再設定により変更が自在な色である。
【０１３９】
候補色パッチ１５０ａには「印象一致」が、候補色パッチ１５０ｂには「明度一致」が、候補色パッチ１５０ｃには「彩度一致」が、候補色パッチ１５０ｄには「最短距離」が、それぞれマッピング方法として適用されている。なお、各マッピング方法の具体的内容については後述する。
【０１４０】
このように、基準色の初期色としての指定色と、現在の基準色と、前記指定色のマッピング後の各色とを同一画面に且つ隣接して表示させることにより、各色の比較が容易になり、マッピング方法の選択の一助となる。
【０１４１】
また、グラフ１３８には各マッピング方法の概念図が表示されており、均等色空間上での指定色のマッピング結果が各プロットと対応付けられている。これにより、作業者は、マッピング方法とその色変換の傾向を十分に理解することができるので、色調整作業への納得感が得られる。
【０１４２】
作業者は、指定色に最も近い色となったマッピング方法、又は、所望する色に近い色となった一のマッピング方法を選択する。
【０１４３】
作業者は、複数のマッピング方法（図５では、４種類）のうち一のマッピング方法（例えば、「明度一致」とする。）を選択し、該方法に対応する候補色パッチ１５０ｂをマウス３０でクリックすると、候補色パッチ１５０ｂの外周に選択枠１５２が択一的に設定される。
【０１４４】
ガマット内外判定部９０では、マッピング方法が選択されたか否かが判断される（ステップＳ６２６）。マッピング方法が選択されていないと判断されると、選択されるまでステップＳ６２６に留まる。一方、ステップＳ６２６でマッピング方法が選択されたと判断すると、選択されたマッピング方法によってマッピングされた変換色が、基準色として設定される（ステップＳ６２７）。
【０１４５】
設定された基準色がＯＫであると判断した場合は、作業者は「次へ」ボタン１４６を押下する（ステップＳ６２８）。
【０１４６】
一方、色値の調整の要否を判断し（ステップＳ６２９）、必要に応じて色値の調整を行う（ステップＳ６３０）。
【０１４７】
３個のスピンボタン付テキストボックス１４０を用いて、各色値Ｌ*、ａ*、ｂ*をそれぞれ独立に調整することができる。また、各色値Ｌ*、ａ*、ｂ*の更新の都度、色値及びの色の表示が変更される（ステップＳ６３１）。
【０１４８】
さらに、表示装置２４上にカラーパレット１３６の色を適切に表示させるため、記憶部７０に記憶された表示装置２４の表示プロファイルを用いて色変換した後に、指定色等を表示させることが好ましい。
【０１４９】
指定色の色値について既に設定されているので、その値を基準色として用いてもよい。しかし、作業者は、色調整の効率をさらに向上させるために、設定画面１３０の下方に設けられたグラフ１４２を参照しながら、予め設定された基準色（Ｌ*0，ａ*0，ｂ*0）を微調整することができる。
【０１５０】
基準色の微調整には、スピンボタン付テキストボックス１４０が用いられる。スピンボタン付テキストボックス１４０に、設定画面１００（図４参照）により既に設定された指定色の色値が表示されている。作業者は、キーボード２８によるテキストボックスへの直接入力や、マウス３０を用いたスピンボタンの操作により、基準色の値を微調整できる。
【０１５１】
グラフ１４２には、各色のプロットが均等色空間上に表示されている。図示される４点のプロットは、上述の４種類のマッピング方法に対応する。基準色の値を変更すると、グラフ１４２のプロット位置に即時的に反映される。
【０１５２】
なお、グラフ１４２には、ガマットの断面のみならず、その表面を２次元で表示させてもよい。また、４点のプロットは、マッピング方法に応じて異なる色で表示してもよい。これにより、作業者は、マッピング方法とそのマッピング後の色との対応付けについて視覚的に把握できる。
【０１５３】
また、基準色の設定値の変更には、図５に示される構成に限られず、スライダバーやカラーホイール等の種々のＧＵＩに関する構成を採り得る。
【０１５４】
次いで、指定色調整用カラーチャート３４ｃの色差間隔の初期設定を行う（ステップＳ６３）。色差間隔（ΔＬ*，Δａ*，Δｂ*）の初期値に関しては、色調整作業の経験則上、適切な値を設けておくことができる。作業者の嗜好に応じて、色差間隔を初期の段階で変更できるようにしてもよい。
【０１５５】
このようにして、基準色（Ｌ*0，ａ*0，ｂ*0）及び色差間隔（Ｌ*0，ａ*0，ｂ*0）の初期設定を行う（ステップＳ６２、Ｓ６３）。これらの値は、ＧＵＩを介して画像処理装置１６に取得され、記憶部７０により記憶され、カラーチャート条件設定部８４（図３参照）により設定される。
【０１５６】
作業者は、基準色を入力した後、［次へ］ボタン１４６を押下する。そうすると、設定画面１３０は図６に示す設定画面１６０に遷移される。
【０１５７】
次いで、印刷機１８の色値のずれを補正する（ステップＳ６４）。所定のカラーパッチ３６における色の設計値（Ｌ*（ｄｅｓ），ａ*（ｄｅｓ），ｂ*（ｄｅｓ））に対して、測色計２０による実測値（Ｌ*（ｍｅａｓ），ａ*（ｍｅａｓ），ｂ*（ｍｅａｓ））が得られたとする。このとき、補正量Ｌ*（ｄｉｆｆ）、ａ*（ｄｉｆｆ）、ｂ*（ｄｉｆｆ）を（１）〜（３）式のように算出することができる。
Ｌ*（ｄｉｆｆ）＝Ｌ*（ｍｅａｓ）−Ｌ*（ｄｅｓ）            …（１）
ａ*（ｄｉｆｆ）＝ａ*（ｍｅａｓ）−ａ*（ｄｅｓ）            …（２）
ｂ*（ｄｉｆｆ）＝ｂ*（ｍｅａｓ）−ｂ*（ｄｅｓ）            …（３）
【０１５８】
このように、画像データを生成する際、各色の設計値に補正量Ｌ*（ｄｉｆｆ）、ａ*（ｄｉｆｆ）、ｂ*（ｄｉｆｆ）を加算することにより、印刷色の僅かな色ずれが補正可能であり、色再現精度を更に向上させることができる。なお、この作業に印刷物３４は、後に印刷する指定色調整用カラーチャート３４ｃを援用することができる。
【０１５９】
この補正量の値は、記憶部７０により一旦記憶される。その後、前記補正量は、色ずれ補正部８６（図３参照）に供給されるので、印刷色の色ずれを補正した適切な印刷プロファイルが生成される。
【０１６０】
次いで、指定色調整用カラーチャート３４ｃを印刷する（ステップＳ６５）。
【０１６１】
色の異なる複数のカラーパッチ３６を二次元的に配置する際の色の決定方法の一つとして、均等色空間ＣＩＥＬＡＢ系の３つの変数（Ｌ*，ａ*，ｂ*）についてカラーパッチ３６の位置毎に徐々に変化させる方法が考えられる。具体的には、各カラーパッチ３６に対応する画素値を、（４）〜（６）式のように決定することができる。
Ｌ*i＝Ｌ*0＋ΔＬ*×ｉ  （ｉは整数）          …（４）
ａ*j＝ａ*0＋Δａ*×ｊ  （ｊは整数）          …（５）
ｂ*k＝ｂ*0＋Δｂ*×ｋ  （ｋは整数）          …（６）
【０１６２】
この場合、基準色は（Ｌ*0，ａ*0，ｂ*0）からなる色に相当し、色差間隔は（ΔＬ*，Δａ*，Δｂ*）に相当する。指定色調整用カラーチャート３４ｃが有する各カラーパッチ３６により形成される色領域のことを「提示領域」と呼ぶことにする。
【０１６３】
図１２は、例えば、図２に示す指定色調整用カラーチャート３４ｃ上のカラーパッチ３６の色の設計値を示している。表の左方部、上方部に示される番号は、行番号３８、列番号４０にそれぞれ対応しており、各欄の上段、中段及び下段はそれぞれ（４）式に示す「ｉ」の値、（５）式に示す「ｊ」の値及び（６）式に示す「ｋ」の値を示す。
【０１６４】
このように、指定色調整用データ生成部７６（図３参照）により、隣接するカラーパッチ３６の色差が略等間隔になるような画像データが生成される。なお、この基準色及び色差間隔は、カラーチャート条件設定部８４により予め設定され記憶部７０に記憶されているデータを読み出して用いることができる。
【０１６５】
指定色調整用データ生成部７６により生成された画像データは、図３に示すように矢印Ｒ２の経路から印刷プロファイル処理部７４に供給され、電子原稿の印刷と同様の動作により印刷機１８側に供給される。このようにして得られた指定色調整用カラーチャート３４ｃ（図２参照）の各カラーパッチ３６は、予め設計した色（Ｌ*，ａ*，ｂ*）を略再現する。
【０１６６】
ここで、指定色調整用カラーチャート３４ｃを印刷するための画像データは、ＴＩＦＦやＢｉｔｍａｐ等のラスタ画像データに限られず、ＰＤＦやＰｏｓｔＳｃｒｉｐｔ（登録商標）等のＰＤＬ形式の画像データでもよい。
【０１６７】
指定色調整用カラーチャート３４ｃを印刷する場合における画像処理装置１６の動作原理について、図示しないプロファイル用カラーチャートの場合と同様であるため説明を割愛する。
【０１６８】
次いで、作業者は、印刷された指定色調整用カラーチャート３４ｃのうちカラーパッチ３６を１個選択する（ステップＳ６６）。具体的には、カラーチップや、表示装置２４の画面上に表示された色等である目標となる指定色を表す色見本と、指定色調整用カラーチャート３４ｃとを比較観察し、指定色に最も近い色であるカラーパッチ３６を選択する。
【０１６９】
このように構成しているので、作業者が指定色調整用カラーチャート３４ｃを観察する際にカラーパッチ３６の色の変化が略等間隔で視認されるため、指定色に最も近い色であるカラーパッチ３６を容易に選択できる。
【０１７０】
なお、カラーパッチ３６の選択に関して、指定色との近似性が極めて高い場合は１個を選択してもよいし、隣接する４個のカラーパッチ３６の中間位置として選択してもよい。また、２７個のカラーパッチ３６が提示する色のいずれにも該当しない場合は、その範囲外であるとの選択をしてもよい。
【０１７１】
次いで、作業者は、選択したカラーパッチ３６の識別情報を入力する（ステップＳ６７）。具体的には、作業者は、入力装置２６により、選択されたカラーパッチ３６の配置位置に対応した行番号３８、列番号４０が表す値（図２参照）を入力する。
【０１７２】
図６に示す設定画面１６０において、指定色調整用カラーチャート３４ｃ上の各カラーパッチ３６の配置を模擬したマトリクス画像１８０の領域内のいずれかの位置をマウス３０（図１参照）でクリックすると、その位置にポインタ１９０が配置される。
【０１７３】
そうすると、マトリクス画像１８０の一部として表示された各カラーパッチ１８６と、ポインタ１９０との相対的位置関係によって、カラーパッチ３６の間隔、すなわち色差間隔（ΔＬ*，Δａ*，Δｂ*）よりも高い分解能で選択色の指示が可能となる。その算出例を以下に示す。
【０１７４】
図１３Ａ及び図１３Ｂは、図６に示すポインタにより所定の色が選択されたときのパッチ選択画像の一部拡大概略図である。例えば、なお、行番号１７６、列番号１７８の配置は図６と比較して異なるが、説明の便宜上変更している。
【０１７５】
図１３Ａにおいて、行番号（０）、列番号（０’）を中心として、二次元座標を表示している。
【０１７６】
カラーパッチ３６の中心位置であるＣ1の色は（Ｌ*0＋ΔＬ*，ａ*0，ｂ*0）で表される。そうすると、（ｘ，ｙ）＝（０．５，０．５）を指示するポインタ１９０ａの位置の色は、内挿による補間演算によって、（Ｌ*0＋ΔＬ*，ａ*0＋０．５・Δａ*，ｂ*0＋０．５・Δｂ*）と算出される。
【０１７７】
図１３Ｂにおいて、行番号（０）、列番号（０”）を中心として、二次元座標を表示している。
【０１７８】
Ｃ2の色は（Ｌ*0−ΔＬ*，ａ*0，ｂ*0）で表される。そうすると、（ｘ，ｙ）＝（−０．７，１．７）を指示するポインタ１９０ｂの位置の色は、外挿による補間演算によって、（Ｌ*0−ΔＬ*，ａ*0−０．７・Δａ*，ｂ*0＋１．７・Δｂ*）と算出される。
【０１７９】
あるいは、カラーパッチ３６の提示領域を超えた場合、すなわち、ｘ＜−１、１＜ｘ（又はｙ＜−１、１＜ｙ）のときには、カラーパッチ３６の色の提示範囲の圏外と判断し、別の演算を施してもよい。
【０１８０】
なお、ガマット外の色のように色再現できない領域や、ガマット近傍の色のように非線形性が強く色再現精度が低下する領域にある色のカラーパッチ３６を印刷する際に、作業者への注意喚起という観点で、音声や画面表示等による警告を促すことが好ましい。
【０１８１】
また、そのカラーパッチ３６の位置に対応するカラーパッチ１８６（図６参照）に識別印を付すことが好ましい。識別印を付すことには、カラーパッチ１８６の周辺にマークを付するのみならず、カラーパッチ１８６自体を変形させることも含まれる。
【０１８２】
例えば、（４）〜（６）式に基づいて算出された色（Ｌ*，ａ*，ｂ*）がガマット外の色である場合は、その色に対応するカラーパッチ１８６の画素値を置き換え、黒色パッチを表示させることが好ましい。そうすれば、作業者は、指定色調整用カラーチャート３４ｃの印刷前に、黒色パッチの箇所は選択候補から除外されている旨を知ることができる。
【０１８３】
また、ガマット内の色であるが、ガマット境界の近傍色である場合は、その色に対応するカラーパッチ１８６の外周に太線の枠を付し、太枠パッチを表示させることが好ましい。そうすれば、作業者は、指定色がガマットの境界近傍であることを意識しながら色調整を行うことができる。
【０１８４】
さらに、指定色調整用カラーチャート３４ｃと同等の描画仕様にしているので、作業者にとって対応関係が明確になり好ましい。
【０１８５】
さらに、ガマットの属否を明確にするため、黒色パッチと太枠パッチのように、異なる形態で表示されることがさらに好ましい。さらにまた、識別印を付する手段は、黒色パッチの代わりに白色にしてもよいし、カラーパッチ１８６の周辺に所定の識別印（○×等）を付してもよいことはいうまでもない。
【０１８６】
次いで、作業者は、選択された１個のカラーパッチ３６によって指定色と略同色を再現できたか否かを判断する（ステップＳ６８）。その結果、略同色でなく更に選択の余地があるものと判断した場合は、作業者は次の基準色及び色差間隔を再設定する（ステップＳ６９）。
【０１８７】
作業者は、図６に示すマトリクス画像１８０内の所定位置でマウス３０（図１参照）のクリック動作を行うと、ポインタ１９０の指示位置が変更され、スピンボタン付テキストボックス１６４の表示値が即時的に自動更新され、新たな基準値が設定される。
【０１８８】
色差間隔に関しては、スピンボタン付テキストボックス１６６を用いて再設定できる。例えば、さらに詳細に色調整を行いたい場合は色差間隔を小さく設定すればよく、指定色がカラーパッチ３６の提示領域の範囲外にあると判断した場合は、色差間隔を大きく設定すればよい。
【０１８９】
このような作業には、ある程度の色に関する知識と熟練度を要する。そこで、推奨値を参照しながらカラーチャートの設定を行うことができる。作業者が［詳細設定］ボタン１８２を押下すると、設定画面１６０は図８に示す設定画面２４０に遷移される。
【０１９０】
設定画面２４０の上方部に設けられたパッチ選択画像２４２は、指定色調整用カラーチャート３４ｃの二次元的配置を模した画像である。縦線及び横線から構成される補助線２５８の各交点が各カラーパッチ３６の中央位置に相当する。
【０１９１】
なお、本実施の形態でのパッチ選択画像２４２には、各カラーパッチ３６の形状が省略して表示されているが、カラーパッチ３６との配置関係が把握できる描画仕様であれば、その表示態様は問わない。
【０１９２】
スライダバー２４４のスライダ２６２は、現在、ゲージ２６０上の「５」の位置を指し示している。これは、正方状に配設されたカラーパッチ３６の各段における一辺あたりの個数（以下、「パッチ個数」という。）を表している。よって、Ｌ*、ａ*、ｂ*のいずれも５通りの値を取り得ることから、５×５×５＝１２５個のカラーパッチ３６が配設されることになる。
【０１９３】
作業者は、スライダ２６２を左右方向に移動させることにより、３〜７個の範囲でパッチ個数を変更することができる。そして、パッチ個数の設定を変更すると、前記パッチ個数に対応するように、パッチ選択画像２４２の描画仕様が即時的に変更される。
【０１９４】
スライダバー２４６のスライダ２６８は、現在、ゲージ２６６上の略中央位置を指し示している。作業者は、スライダ２６８を左右方向に移動させることにより、予め設定された範囲内で次の色差間隔を変更することができる。
【０１９５】
矢印２６４、２７０は、「パッチ個数」及び「次の色差間隔」の現在の推奨値に相当するゲージ２６０、２６６上の位置を指示する（文字列２７２の表記を参照）。この推奨値は、カラーパッチ３６の過去の選択履歴、入力された指定色の色値、印刷機１８のガマット特性等を総合的に考慮して、決定することができる。
【０１９６】
作業者は、推奨値に従って、あるいは自らの好みで指定色調整用カラーチャート３４ｃの各設定を変更する場合は［設定変更］ボタン２５０を押下し、かかる設定の変更を行わない場合は［戻る］ボタン２４８を押下する。そうすると、設定画面２４０は図６に示す設定画面１６０に再び遷移される。
【０１９７】
作業者は、次の基準色及び色差間隔を再設定した後、図６に示す［カラーチャート印刷］ボタン１６８を押下すると、マトリクス画像１８０の描画が変更され、設定画面２４０で設定されたカラーパッチの個数に変更される。すなわち、次に印刷される指定色調整用カラーチャート３４ｃと同様の描画仕様に変更される。
【０１９８】
指定色調整用カラーチャート３４ｃが印刷機１８により印刷されると、設定に応じてカラーパッチ３６の個数が変更され、基準色及び色差間隔が変更される。
【０１９９】
なお、カラーパッチ３６の個数をスライダバー２４４（図８参照）で変更した後、その個数を変更した設定画面１６０（図６参照）や設定画面２４０（図８）に表示することなく指定色調整用カラーチャート３４ｃを印刷しても良い。
【０２００】
このように、再設定された次の基準色及び色差間隔に基づいて指定色調整用カラーチャート３４ｃが印刷される。なお、指定色の調整（ステップＳ６２）の途中で［中止］ボタン１７４を押下するとこの作業は中止される。
【０２０１】
以上のようにして、指定色調整用カラーチャート３４ｃ上において指定色と同色が再現されるまでこの作業を繰り返し、［確定］ボタン１７２を押下する。
【０２０２】
そうすると、ステップＳ６４（図１０参照）で算出された色ずれ補正量、図６に示す設定画面１６０で設定された基準色の色値（Ｌ*，ａ*，ｂ*）、色差間隔（ΔＬ*，Δａ*，Δｂ*）及びポインタ１９０（図６参照）の指示値に基づいて印刷プロファイルは変更され（ステップＳ７０）、指定色の調整作業は終了する。
【０２０３】
あるいは、印刷プロファイルを変更するのではなく、電子原稿の画像データを直接補正するようにしてもよい。以下、その一例を示す。
【０２０４】
作業者が、設定画面１６０の［確定］ボタン１７２（図６参照）を押下すると、ステップＳ６４で算出された色ずれ補正量、図６に示す設定画面１６０で設定された基準色の色値（Ｌ*，ａ*，ｂ*）、色差間隔（ΔＬ*，Δａ*，Δｂ*）及びポインタ１９０（図６参照）の指示値に基づいて最終的な修正値Ｌ*ａ*ｂ*が算出されるとともに、設定画面１６０は図７に示す設定画面２００に遷移される。
【０２０５】
表示欄２０２には、設定画面１００（図４参照）で入力された指定色に関する情報と同一の内容が表示されるので、作業者はその内容を容易に確認できる。例えば、特色名が提示された場合は、欄２１２にその特色名が表示される。あわせて、前記特色名に対応するＬ*ａ*ｂ*値が欄２１４に表示され、前記特色名に対応するＲＧＢ値が欄２１６に表示され、前記特色名に対応するＣＭＹＫ値が欄２１８に表示される。さらに、その色値の指定方法が「Ｌ*ａ*ｂ*で指定」の旨も欄２２０に表示される。
【０２０６】
なお、図４に示す「ＲＧＢで指定」で指定色が入力された場合、欄２１６にはＲＧＢ値が表示される。また、「ＣＭＹＫで指定」で指定色が入力された場合、欄２１８にはＣＭＹＫ値が表示される。「カラーホイールで指定」で指定色が入力された場合、欄２１４にはＬ*ａ*ｂ*値が表示される。
【０２０７】
プルダウンメニュー２２８、２３０には、初期設定として、図４に示す設定画面１００のプルダウンメニュー１０７、１０８で設定された目標プロファイルが表示されている。選択された目標プロファイルに応じて、表示欄２０４の欄２２４にはＲＧＢ値、欄２２６にはＣＭＹＫ値がそれぞれ自動的に表示される。
【０２０８】
このＲＧＢ値は、プルダウンメニュー２２８で選択された目標プロファイルが備える３次元−３次元ＬＵＴに基づいて算出される。また、このＣＭＹＫ値は、プルダウンメニュー２３０で選択された目標プロファイルが備える３次元−４次元ＬＵＴに基づいて算出される。
【０２０９】
作業者は、Ｌ*ａ*ｂ*値、ＲＧＢ値、ＣＭＹＫ値の修正値又は特色名を確認した後、［終了］ボタン２１０を押下する。その後、作業者は、図示しない設定画面に修正値又は特色名を入力する。すると、電子原稿の画像データのうち、指定色として色が指定された箇所の修正値に置換することにより、印刷色を調整することができる。Ｌ*ａ*ｂ*値の場合は直接的に置換され、ＲＧＢ又はＣＭＹＫの場合は目標プロファイルを用いて得られたＬ*ａ*ｂ*に置換することにより、電子原稿の画像データを補正することができる。
【０２１０】
さらに、自動又は手動により、ＲＩＰ５２が管理する特色データベースの管理情報（Ｌ*ａ*ｂ*又はＣＭＹＫ）を上述した修正値に更新することができる。この更新された特色データを用いることにより、印刷物３４の色を調整することができる。例えば、特色データベースのＬ*ａ*ｂ*を更新した場合はＬ*ａ*ｂ*定義の電子原稿の画像データに対し、特色データベースのＣＭＹＫを更新した場合は印刷プロファイルを用いて印刷機１８のＣＭＹＫ値に変換された電子原稿の画像データに対し、補正をすることができる。
【０２１１】
以上のようにして、指定色の調整作業が完了する。
【０２１２】
ところで、上述した各マッピング方法の概要について図１４Ａを参照しながら詳細に説明する。ガマットＧはＬ*ａ*ｂ*の均等色空間内の閉空間で表現されるが、ここでは、説明の便宜上、縦軸をＬ*とし、横軸をａ*（又はｂ*）として二次元的に表記する。
【０２１３】
印刷機１８のガマットＧは、ガマット境界３００の内側の閉じた領域で表現されるものとする。指定色３０２は、ガマットＧの範囲外であると判断された色である。この指定色３０２をガマットＧ内の所定の色に変換する。
【０２１４】
色３０４は、印象一致によるマッピング方法によりマッピングされた色を示している。ここで、印象一致によるマッピング方法とは、指定色の色域（青色、黄色、緑色、赤色等）に応じて異なるマッピング方法を用いてマッピングする方法である。そうすれば、ＣＩＥＬＡＢ系の均等色空間の歪み、すなわち、色の数値と視覚の感度特性との対応関係のずれを修正して、視覚の感度特性に一層近づけることができる。
【０２１５】
例えば、青色の領域は彩度方向の変化に対する感度が低い傾向に鑑みて、指定色の色域が青色付近である場合はＪＣｈ空間での最短距離によるマッピング方法を選択すると好ましい。
【０２１６】
色３０６は、明度一致によるマッピング方法によりマッピングされた色を示している。ここで、明度一致によるマッピング方法とは、指定色３０２の明度と略一致するガマットＧ内の色のうち、指定色３０２との色差が最小となる色にマッピングする方法である。
【０２１７】
色３０８は、彩度一致によるマッピング方法によりマッピングされた色を示している。ここで、彩度一致によるマッピング方法とは、指定色３０２の彩度と略一致するガマットＧ内の色のうち、該指定色３０２との色差が最小となる色にマッピングする方法である。
【０２１８】
色３１０は、最短距離によるマッピング方法によりマッピングされた色を示している。ここで、最短距離によるマッピング方法とは、指定色３０２との色差が最小となるガマットＧ内の色にマッピングする方法である。
【０２１９】
図１４Ｂは、図１４Ａに示す明度一致及び彩度一致のマッピング方法の変形例を示す図である。
【０２２０】
図１４Ａの例では、明度又は彩度の差にのみに注目し、指定色３０２との色差の許容値に関しては一切考慮されていなかった。図１４Ｂに示す変形例は、指定色３０２との色差の許容値を考慮しながらも、明度・彩度が略一致する色を選択するものである。
【０２２１】
まず、指定色３０２とガマットＧとの最短距離ΔＣ*minよりも大きい値であるΔＣ*を許容される色差（許容誤差）として設定する。すると、指定色３０２を中心とする半径ΔＣ*の円領域と、ガマットＧの領域とが重複する重複領域３１２が選択され得る色の領域に該当する。
【０２２２】
重複領域３１２内の色のうち、指定色３０２との明度の差が最小となる色３１４を選択しマッピングする方法が明度優先である。また、重複領域３１２内の色のうち、指定色３０２との彩度の差が最小となる色３１６を選択しマッピングする方法が彩度優先である。このようなマッピング方法を用いても良い。
【０２２３】
次いで、指定色調整用カラーチャート３４ｃのうち指定色に最も近いカラーパッチ３６の選択結果を設定する別の方法について、図１５〜図２０を参照しながら詳細に説明する。
【０２２４】
図１５は、本実施形態に係る指定色の調整のための第二の設定画面の変形例である。
【０２２５】
設定画面４００の中央部には、指定色調整用カラーチャート３４ｃを模したパッチ選択画像４０２が設けられている、パッチ選択画像４０２の上方には左右方向に延在するカラーバー４０４が設けられており、その右端から左端にかけてＬ*が高くなるように連続階調の色で表示されている。パッチ選択画像４０２の左方には上下方向に延在するカラーバー４０６が設けられており、その下端から上端にかけてａ*が高くなるように連続階調の色で表示されている。パッチ選択画像４０２の左下方には左右方向に延在するカラーバー４０８が設けられており、その右端から左端にかけてｂ*が高くなるように連続階調の色で表示されている。
【０２２６】
パッチ選択画像４０２は、２７個のカラーパッチ４１０で構成されており、カラーパッチ４１０の表示色は、上述した（１）式〜（３）式及び図１２に示す通りである。２７個のカラーパッチ４１０の中央に位置する中央パッチ４１２に表示される色は、現在設定されている基準色である。また、カラーバー４０４、４０６、４０８の中央位置の色はいずれも基準色となるように表示されている。
【０２２７】
図１６に示すように、別のウィンドウに設定画面４１４も併せて表示される。パッチ個数と色差間隔（ΔＬ*、Δａ*、Δｂ*）をそれぞれ独立に変更が自在である４個のプルダウンメニュー４１６と、「中央位置の選択」と表示されたチェックボックス４１８、［更新］と表示されたボタン４２０とから構成される。
【０２２８】
設定画面４１４のチェックボックス４１８をチェックした後に［更新］ボタン４２０を押下すると、設定画面４００が図１７に示すように変化する。
【０２２９】
新たな設定画面４００Ｓには、カラーパッチ４１０の位置に重畳するように設けられた２７個の表示パッチ４２２（３行３列を単位とした表示パッチ群４２４ａ、４２４ｂ、４２４ｃ）の外周に設けられた８個ずつの小ボタン４２６ａ、４２６ｂ、４２６ｃと、カラーバー４０４に重畳する位置に設けられた３個の横長ボタン４２８ａ、４２８ｂ、４２８ｃと、２個の小ボタン４３０、４３２と、２個の小ボタン４３４、４３６とから構成される。
【０２３０】
いずれのボタンも白色で表示されており、且つ、表示パッチ４２２がカラーパッチ４１０の配設位置から僅かにずらして重畳表示されているので、作業者は、色選択作業を行いながら表示色を確認することができる。図１７では、一例として中央パッチ４１２の配設位置を示している。
【０２３１】
各表示パッチ４２２をマウス３０（図１参照）でクリックすると、そのクリックされた表示パッチ４２２には太枠４３８（図１８参照）によるマークが付される。このようにして、クリック動作により表示パッチ４２２の指定が可能であり、同様に指定の解除や再指定が自在である。
【０２３２】
作業者は、指定色調整用カラーチャート３４ｃの中から最も近い色のカラーパッチ３６を選択し、そのカラーパッチ３６の配設位置に対応する表示パッチ４２２をクリックする。その後、設定画面４１４の［更新］ボタン４２０（図１６参照）をクリックすることにより、次の基準色が設定され、中央パッチ４１２の色が次の基準色になるように新たに表示色が更新される。
【０２３３】
図１８に示すように、指定された表示パッチ４２２が１個（表示パッチ４４０ａ）である場合、選択された表示パッチ４２２に対応する色が新たな基準色として設定され、パッチ選択画像４０２Ｓの表示色が更新される。
【０２３４】
図１９に示すように、上下左右に隣接する２個の表示パッチ４２２をクリックすることにより、上下左右に隣接する２個の表示パッチを同時に指定することができる。このように、指定された表示パッチ４２２が２個（表示パッチ４４０ａ、４４０ｂ）である場合、選択された２個の表示パッチ４２２に対応する色の中間色が新たな基準色として設定され、パッチ選択画像４０２Ｓの表示色が更新される。
【０２３５】
図２０に示すように、斜め方向に隣接する２個の表示パッチ４２２（マウスポインタ４４２の位置）をクリックすることにより、その近接する４個の表示パッチ４２２を同時に指示することができる。このように、指示された表示パッチ４２２が４個（表示パッチ４４０ａ〜４４０ｄ）である場合、選択された４個の表示パッチ４２２に対応する色の中間色が新たな基準色として設定され、パッチ選択画像４０２Ｓの表示色が更新される。
【０２３６】
２個又は４個の表示パッチが同時に指示された状態で［更新］ボタン４２０（図１６参照）を押下すると、指定色の探索範囲がさらに絞られたものと判定され、次の色差間隔が自動的に小さく設定される。これにより、より詳細な色の探索を行うことができる。
【０２３７】
図１７に示す表示パッチ４２２の周辺に設けられた２４個の小ボタン４２６ａ〜４２６ｃのうちのいずれか１個をクリックすると、表示色の移動が行われる。
【０２３８】
上方中央の小ボタン４２６ａをクリックすると、ａ*の値がΔａ*だけ増加するように表示色の移動が行われる。また、上方左の小ボタン４２６ａをクリックすると、ａ*及びｂ*の値がΔａ*及びΔｂ*だけ増加するように表示色の移動が行われる。このように、小ボタン４２６ａ〜４２６ｃの配設位置と表示色の移動方向とが対応しているので操作性が高い。
【０２３９】
また、Ｌ*を手動で調整する場合は、横長ボタン４２８ａ〜４２８ｃや小ボタン４３０、４３２、４３４、４３６を用いる。なお、以下の説明において、現在設定されている色差間隔（明度成分）がΔＬ*に設定されているものとする。
【０２４０】
横長ボタン４２８ａ〜４２８ｃは、ΔＬ*の単位で表示色を移動させるボタンである。例えば、横長ボタン４２８ｂがクリックされると、その時点で指定されている表示パッチ４２２（例えば、表示パッチ群４２４ａの中央のパッチとする。）が、クリックされた横長ボタン４２８ｂの下方の表示パッチ群４２４ｂの対応する位置（すなわち、表示パッチ群４２４ｂの中央のパッチの位置）になるように移動される。つまり、Ｌ*の値がΔＬ*だけ減少するように表示色の移動が行われる。
【０２４１】
小ボタン４３０、４３２は、ΔＬ*／２の単位で表示色を移動させるボタンである。例えば、小ボタン４３０がクリックされると、表示パッチ群４２４ａ及び４２４ｂの中間値が、次の中央パッチ４１２の色となるように移動される。つまり、Ｌ*の値がΔＬ*／２だけ減少するように表示色の移動が行われる。
【０２４２】
同様にして、小ボタン４３２がクリックされると、表示パッチ群４２４ｂ及び４２４ｃの中間値が、次の中央パッチ４１２の色となるように移動される。つまり、Ｌ*の値がΔＬ*／２だけ増加するように表示色の移動が行われる。
【０２４３】
小ボタン４３４、４３６は、２ΔＬ*の単位で表示色を移動させるボタンである。例えば、小ボタン４３４がクリックされると、現在の表示パッチ群４２４ａの位置が次の表示パッチ群４２４ｃの位置になるように移動される。つまり、Ｌ*の値が２ΔＬ*だけ減少するように表示色の移動が行われる。
【０２４４】
同様にして、小ボタン４３６がクリックされると、現在の表示パッチ群４２４ｃの位置が次の表示パッチ群４２４ａの位置になるように移動される。つまり、Ｌ*の値が２ΔＬ*だけ増加するように表示色の移動が行われる。
【０２４５】
なお、この発明は、上述した実施形態に限定されるものではなく、この発明の主旨を逸脱しない範囲で自由に変更できることは勿論である。
【０２４６】
本実施形態では、指定色調整用カラーチャート３４ｃ上の各カラーパッチ３６の形状は矩形であるがこれに限定されることはなく、例えば、三角形、六角形、円形等でもよい。
【０２４７】
また、カラーパッチ３６の配列方法についても、その識別情報との対応関係が明確である限り、種々の配列形態を採ることができる。例えば、カラーパッチ３６が正六角形である場合は、ハニカム構造に配列することにより、色の配列方法を工夫することができる。
【０２４８】
本実施形態では、指定色調整用カラーチャート３４ｃ上に付された行番号３８及び列番号４０（図２参照）を識別情報として、設定画面１６０（図６参照）を介して入力する構成を採っているが、識別情報の入力方法はこれらに限定されない。
【０２４９】
本実施形態では、印刷機１８がインクジェット方式である構成を採っているがこれに限定されることなく、電子写真、感熱方式等であっても本発明の作用効果を得ることができる。また、出力形態はハードコピーに限定されず、ソフトコピー、すなわち、画像表示装置（あるいは種々の表示方式）にも本発明が適用できることはいうまでもない。
【符号の説明】
【０２５０】
１０…印刷システム                        １４…編集装置
１６…画像処理装置                        １８…印刷機
２０…測色計                              ２２…本体
２４…表示装置                            ２６…入力装置
３２…メディア                            ３４…印刷物
３４ｃ…指定色調整用カラーチャート
３６、１８６、４１０…カラーパッチ
３８、１７６、２５２…行番号              ４０、１７８、２５４…列番号
５０、５８、６４、６６、６８…Ｉ／Ｆ      ５２…ＲＩＰ
５４…色変換処理部                        ５６…印刷機ドライバ
６０…色管理部                            ６２…画像データ生成部
７０…記憶部                              ７２…目標プロファイル処理部
７４…印刷プロファイル処理部              ７６…指定色調整用データ生成部
８０…プロファイル生成部                  ８２…指定色管理部
８４…カラーチャート条件設定部            ８６…色ずれ補正部
８８…パッチ色データ変換部                ９０…ガマット内外判定部
９２…マッピング部                        ９４…マッピング選択部
【図１】
2011066862.tif 000003
【図２】
2011066862.tif 000004
【図３】
2011066862.tif 000005
【図４】
2011066862.tif 000006
【図５】
2011066862.tif 000007
【図６】
2011066862.tif 000008
【図７】
2011066862.tif 000009
【図８】
2011066862.tif 000010
【図９】
2011066862.tif 000011
【図１０】
2011066862.tif 000012
【図１１】
2011066862.tif 000013
【図１２】
2011066862.tif 000014
【図１３】
2011066862.tif 000015
【図１４】
2011066862.tif 000016
【図１５】
2011066862.tif 000017
【図１６】
2011066862.tif 000018
【図１７】
2011066862.tif 000019
【図１８】
2011066862.tif 000020
【図１９】
2011066862.tif 000021
【図２０】
2011066862.tif 000022